(57)【要約】【課題】所望の開放間隔を引戸の閉動作のみで設定でき、且つその位置から開放はできない引戸用採風装置を提供する。【解決手段】引戸用採風装置１１において、窓枠２１のレール１５に沿う方向に設けられ複数の係止爪４３を有したラック３９と、引戸１３の戸先側の縦框２３にスライド操作自在に設けられた摘み３３と、縦框２３に設けられ摘み３３の操作に従動してラック３９に接近離反するシフター５１と、シフター５１に回転自在に支持され係止爪４３に係止するストッパー５３と、縦框２３に回転自在に支持されシフター５１の規制部６７に係止してシフター５１の移動を規制する規制カム６３と、レール１５の閉止側端部６９に設けられた乗り上げ部７１と、縦框２３に昇降自在に設けられ乗り上げ部７１に乗り上げることで移動して規制カム６３の規制部６７への係止を解除するトリガー７３と、を設けた。【選択図】  図２
2013096151.tif 000002
【特許請求の範囲】
【請求項１】
窓枠のレールに沿う方向に設けられ係止爪を有したラックと、
引戸の戸先側の縦框にスライド操作自在に設けられた摘みと、
前記縦框に設けられ前記摘みの操作に従動して前記ラックに接近離反するシフターと、
前記シフターに回転自在に支持され前記係止爪に係止するストッパーと、
前記縦框に回転自在に支持され前記シフターの規制部に係止して前記シフターの移動を規制する規制カムと、
前記レールの閉止側端部に設けられた乗り上げ部と、
前記縦框に昇降自在に設けられ前記乗り上げ部に乗り上げることで移動して前記規制カムの前記規制部への係止を解除するトリガーと、  
を具備することを特徴とする引戸用採風装置。
【請求項２】
請求項１記載の引戸用採風装置であって、
前記摘みを所定のスライド位置に保持する保持手段が前記縦框に設けられていることを特徴とする引戸用採風装置。
【発明の詳細な説明】
【技術分野】
【０００１】
本発明は、開放方向への移動を規制しながら所望の間隔に引戸を開放する引戸用採風装置に関する。
【背景技術】
【０００２】
サッシ戸等の引戸を所望の間隔開けた状態で施錠できる引戸の錠が知られている（例えば特許文献１参照）。この錠は、上レールまたは下レールの長手方向適宜の位置に、たとえば人が侵入できない間隔をもって引戸を開放しておきたい位置に取付部を固定する。通常は施錠部の係合部を引戸の係合突出部に係合しない位置、すなわち接触しない位置に後退しておけば、引戸は開閉自在となる。引戸を施錠したい場合、引戸の係合突出部に係合する位置に施錠部の係合部を近接するように移動させると、引戸はそれ以上開く方向に開放できない。これにより、通風などのために、引戸を所望の間隔開けた状態で施錠できる。
【先行技術文献】
【特許文献】
【０００３】
【特許文献１】特開平７−２５９４１６号公報
【特許文献２】特開２００４−１４３８６９号公報
【発明の概要】
【発明が解決しようとする課題】
【０００４】
しかしながら、上記した従来の引戸の錠は、室内側からは容易に施錠部の係合部を移動できる構造であったことから、例えば、福祉施設や託児施設にある引戸にこの錠を設けた場合、養護対象者や幼児等などが引戸の制限を解除して、室外へと勝手に出ていき、事故を起こす虞がある。
また、特許文献２には、１対の引戸の一方に取り付けられるストッパー保持体と、このストッパー保持体に着脱自在に連結されるストッパーとを備え、ストッパー保持体に連結したストッパーが１対の引戸の開閉を制限し、ストッパー保持体からストッパーを取り外すことにより制限が解除される引戸錠が開示されている。ところが、ストッパー保持体に対するストッパーの連結およびその解除は、鍵を用いた施錠および解錠操作によって行うようにしてあるため、操作が煩雑となった。
【０００５】
本発明は上記状況に鑑みてなされたもので、その目的は、所望の開放間隙を引戸の閉動作のみで設定でき、且つその位置から開放はできない引戸用採風装置を提供することにある。
【課題を解決するための手段】
【０００６】
次に、上記の課題を解決するための手段を、実施の形態に対応する図面を参照して説明する。
本発明の請求項１記載の引戸用採風装置１１は、窓枠２１のレール１５に沿う方向に設けられ係止爪４３を有したラック３９と、
引戸１３の戸先側の縦框２３にスライド操作自在に設けられた摘み３３と、
前記縦框２３に設けられ前記摘み３３の操作に従動して前記ラック３９に接近離反するシフター５１と、
前記シフター５１に回転自在に支持され前記係止爪４３に係止するストッパー５３と、
前記縦框２３に回転自在に支持され前記シフター５１の規制部６７に係止して前記シフター５１の移動を規制する規制カム６３と、
前記レール１５の閉止側端部６９に設けられた乗り上げ部７１と、
前記縦框２３に昇降自在に設けられ前記乗り上げ部７１に乗り上げることで移動して前記規制カム６３の前記規制部６７への係止を解除するトリガー７３と、
を具備することを特徴とする。
【０００７】
この引戸用採風装置１１では、全閉状態の引戸１３を開放するには、摘み３３を上方へスライドさせて引戸１３を開く。シフター５１とともにストッパー５３がラック３９から離反し、ストッパー５３がラック３９に係止することによる開放の規制が生じない。開放状態となった引戸１３を、摘み３３に触れずに閉めると、ストッパー５３がレール１５に摺接する状態となる。引戸１３がラック３９に到達すると、ストッパー５３がラック３９の係止爪４３に係止する。ストッパー５３が係止爪４３に係止することで、その位置からの引戸１３の開放が規制され、採風のための間隙が形成される。ストッパー５３は、引戸１３の閉動方向の移動においては係止爪４３との係止が解除される。引戸１３を閉めるのみの操作により、係止爪４３が複数ある場合には係止爪一つ分ずつ開放間隔２５が狭くなる。つまり、間隙幅である開放間隔２５の調節が可能となる。このとき、シフター５１の規制部６７に規制カム６３が係止していることで、摘み３３の上方へのスライドは阻止される。従って、引戸１３は、開放方向へは開けない。引戸１３が全閉されると、トリガー７３が乗り上げ部７１に乗り上げ、規制カム６３と規制部６７との係止が解除される。これにより、全閉状態から引戸１３を開放する際の摘み３３の上方へのスライドが可能となる。
【０００８】
本発明の請求項２記載の引戸用採風装置１１は、請求項１記載の引戸用採風装置１１であって、
前記摘み３３を所定のスライド位置に保持する保持手段３５が前記縦框２３に設けられていることを特徴とする。
【０００９】
この引戸用採風装置１１では、保持手段３５により摘み３３をスライド位置に保持しておくことで、摘み３３のスライド位置を掴み持ったままでの操作とすることがなく、全閉状態からの引戸１３の開放時などで引戸１３を通常通りに開くことができる。
【発明の効果】
【００１０】
本発明に係る請求項１記載の引戸用採風装置によれば、所望の開放間隙を引戸の閉動作のみで設定でき、且つその位置から容易に開放はできない。このことから、人の出入りを不可能とした状態で採風のみ可能となる間隙を維持できる。
【００１１】
本発明に係る請求項２記載の引戸用採風装置によれば、摘みを保持手段によって保持させることで、摘みのスライド位置を掴み持ったままでの操作とすることがなく、全閉状態からの引戸の開放時などで引戸を通常通りに開くことができる。
【図面の簡単な説明】
【００１２】
【図１】本発明に係る引戸用採風装置を備えたサッシ戸の正面図である。
【図２】図１に示した引戸の一部分を切り欠いた拡大図である。
【図３】引戸用採風装置を備えた引戸の開放時の動作説明図である。
【図４】引戸用採風装置を備えた引戸の閉動時の動作説明図である。
【図５】引戸用採風装置を備えた引戸の採風間隔調整時の動作説明図である。
【図６】引戸用採風装置を備えた引戸の全閉直前の動作説明図である。
【図７】引戸用採風装置を備えた引戸の全閉時の動作説明図である。
【発明を実施するための形態】
【００１３】
以下、本発明に係る実施形態を図面を参照して説明する。
図１は本発明に係る引戸用採風装置を備えたサッシ戸の正面図、図２は図１に示した引戸の一部分を切り欠いた拡大図である。
本発明に係る引戸用採風装置１１は、サッシ戸等の引戸１３に好適に用いることができる。引戸１３は、片引戸、引き違い戸等の何れであってもよい。また、レール１５（図２参照）を開扉方向に沿って設ければ、ドアにも用いることができる。
本実施形態では、引戸用採風装置１１が引き違い戸に設けられる場合を例に説明する。なお、引き違い戸の場合、引戸用採風装置１１は双方の引戸１３に設けられることとなるが、本実施形態では一方（図１中の左方）の引戸１３を代表例として説明し、他方（図１中の右方）の引戸１３についての説明は省略する。
【００１４】
床１７より所定高さの壁１９には窓枠２１が取り付けられ、窓枠２１には引戸１３がレール１５に沿って開閉自在に備えられている。引戸１３は、一対の縦框２３と、その上下同士を接続する上部横框２５と下部横框２７でガラス２９を包囲している。戸先側の縦框２３には、上下方向の略中央位置に操作部３１が設けられ、操作部３１は内側に操作用の摘み３３を備えている。本実施形態ではこの操作部３１は上下にスライド自在とされ、また、後述する保持手段３５が設けられ、保持手段３５はクリック機構等によって摘み３３を所定位置に保持できるようにしている。なお、本実施形態では、操作部３１が縦框２３に表出するように設けられているが、目隠し構造にて容易に操作されない構成としてもよく、悪戯防止、誤操作防止とすることとしてもよい。
【００１５】
窓枠２１の下枠３７には、レール１５に沿う方向にラック３９が設けられている。ラック３９は、閉止側の縦枠４１から所定距離の範囲で、複数の係止爪４３をレール１５に沿って備えている。それぞれの係止爪４３は、縦枠４１側が垂直辺部４５となり、その反対側の窓中央方向が傾斜辺部４７となる。
【００１６】
縦框２３の操作部３１よりも下方の内部には、摘み３３に上端が接続されたロッド４９が略垂直に収容されている。縦框２３の下端内部には板状のシフター５１が上下スライド自在に取り付けられている。シフター５１には、ロッド４９の下端が接続される。これにより、シフター５１は、摘み３３の操作に従動してラック３９に接近離反するようになっている。摘み３３、ロッド４９、及びシフター５１は、自重によって下方のスライド位置に配置される。
【００１７】
シフター５１にはストッパー５３が支軸５５を中心に回転自在に支持されている。ストッパー５３は、ばね５７によって図２の時計回り方向に付勢される。シフター５１には当接片５９が形成され、当接片５９は当接したストッパー５３を水平姿勢に保持する。水平姿勢のストッパー５３からはストッパー爪６１が垂下方向に延出する。ストッパー爪６１は、ラック３９の係止爪４３に係止する。係止爪４３にストッパー爪６１を係止したストッパー５３は、係止爪４３の垂直辺部４５によって引戸１３の開動を規制する一方、傾斜辺部４７によってばね５７の付勢力に抗して反時計回り方向に揺動し係止が解除されて引戸１３の閉動を許容する。
【００１８】
ストッパー５３は、摘み３３が上方へスライド操作されれば、ロッド４９を介してシフター５１が上昇することで、ラック３９との係止が解除される。但し、この摘み３３の上方へのスライド操作は、後述するように、引戸１３の全閉状態時のみに可能となる。
【００１９】
縦框２３の内部には、シフター５１の近傍に規制カム６３が揺動軸６５によって回転自在に支持されている。この規制カム６３は、略への字に形成され、その中央部が揺動軸６５によって支持されている。規制カム６３は、所定方向に揺動することで、一端側が、シフター５１に設けられた規制部６７に係止可能となっている。規制カム６３は、規制部６７に係止することで、シフター５１の上方向の移動を規制する。つまり、ストッパー５３がラック３９に係止する位置に、シフター５１を保持する。従って、規制カム６３の規制部６７に対する係止が解除され、シフター５１が上昇すれば、ストッパー５３とラック３９との係止は解除される。なお、この規制カム６３には、図示しないが、バネ等の付勢手段が設けられて図２の反時計回り方向に付勢される。
【００２０】
レール１５の閉止側端部６９には、乗り上げ部７１が形成されている。乗り上げ部７１は、ラック３９の係止爪４３よりも高く設定されている。複数の係止爪４３に、係止と係止解除とを繰り返しながら閉止方向に移動したストッパー５３は、引戸１３が閉止されると、この乗り上げ部７１に最も近い係止爪４３に対応して配置される。
【００２１】
縦框２３の規制カム６３の下方には、上下スライド自在にトリガー７３が設けられている。トリガー７３は、通常時、重力によって下方に配置される。トリガー７３は、この下方スライド位置でラック３９の係止爪４３と干渉せず、この位置より上方へスライド自在とされる。トリガー７３は、引戸１３が全閉されると、乗り上げ部７１の斜面に沿って乗り上げ、上方へスライドされる。トリガー７３は、上方へスライドすると、規制カム６３の他端を押し上げ、規制カム６３を図２の時計回りに回転する。この回転によって、規制カム６３は、シフター５１の規制部６７との係止が解除される（図７参照）。つまり、シフター５１は上方へのスライドが可能となる。
【００２２】
操作部３１には、保持手段３５を設けることが好ましい。保持手段３５は、摘み３３を所定のスライド位置に保持する。摘み３３の所定のスライド位置とは、ストッパー５３がラック３９と係止しないシフター５１の上方スライド位置と、ストッパー５３がラック３９と係止するシフター５１の下方スライド位置とすることができる。
【００２３】
次に、上記構成を有する引戸用採風装置１１の作用を説明する。
図３は引戸用採風装置１１を備えた引戸１３の開放時の動作説明図、図４は引戸用採風装置１１を備えた引戸１３の閉動時の動作説明図、図５は引戸用採風装置１１を備えた引戸１３の採風間隔調整時の動作説明図、図６は引戸用採風装置１１を備えた引戸１３の全閉直前の動作説明図、図７は引戸用採風装置１１を備えた引戸１３の全閉時の動作説明図である。
先ず、上記した保持手段３５が設けられていない構成の場合を説明する。
全閉状態の引戸１３を開放するには、図３に示すように、摘み３３を上方へスライドさせてその状態を維持し引戸１３を開く。シフター５１とともにストッパー５３がラック３９から離反し、ストッパー５３がラック３９に係止することによる開放の規制が生じない。
【００２４】
図４に示すように、開放状態となった引戸１３を、摘み３３に触れずに閉めると、摘み３３、ロッド４９、及びシフター５１が重力によって下降し、ストッパー５３がレール１５に摺接する状態となり、同時に規制カム６３が揺動して規制部６７に係止する。図２に示すように、引戸１３がラック３９に到達すると、ストッパー５３がラック３９の係止爪４３に係止する。ストッパー５３が係止爪４３に係止することで、その位置からの開放が規制される。ストッパー５３は、引戸１３の閉動方向の移動においては係止爪４３との係止が解除される。引戸１３を閉めるのみの操作により、係止爪一つ分ずつ開放間隔２５（図２参照）が狭くなる（図５参照）。つまり、採風用の間隙である開放間隔２５の調節が可能となる。このとき、シフター５１の規制部６７に規制カム６３が係止していることで、摘み３３の上方へのスライドは阻止される。従って、引戸１３は、開放方向へは開けない。
【００２５】
図６に示すように、引戸１３がさらに閉められ、トリガー７３が乗り上げ部７１に到達すると、トリガー７３は、乗り上げ部７１からの反力によって上方へスライドされる。そしてこのスライドにより規制カム６３が揺動する。引戸１３が全閉されると、図７に示すように、トリガー７３が乗り上げ部７１に乗り上げ、規制カム６３と規制部６７との係止が解除される。これにより、全閉状態から引戸１３を開放する際の摘み３３の上方へのスライドが可能となる。
【００２６】
次に、上記した保持手段３５が設けられている構成の場合を説明する。
保持手段３５により摘み３３を上方スライド位置（図７に示した位置）に保持しておくことで、摘み３３をスライド操作せずに、全閉状態からの引戸１３を普通に開くことができる。
摘み３３が上方スライド位置に保持されている場合、全閉状態の引戸１３を開放するには、そのまま引戸１３を開く。シフター５１とともにストッパー５３がラック３９から離反した状態を保持し、ストッパー５３がラック３９に係止することによる開放の規制が生じない。つまり、引戸１３を普通に開くことができる。
【００２７】
引戸１３が十分に開放された状態で、摘み３３を下方スライド位置に移動してから引戸１３を閉めると（図４参照）、ストッパー５３がレール１５に摺接する。摘み３３が移動されることで、シフター５１も移動される。移動されたシフター５１は、規制部６７に規制カム６３が係止して、ラック３９から離反する方向の移動が規制される。この状態で、引戸１３がラック３９に到達すると、ストッパー５３がラック３９の係止爪４３に係止する。ストッパー５３が係止爪４３に係止すると、その位置からの引戸１３の開放が規制される。ストッパー５３は、引戸１３の閉動方向のみの移動によって係止爪４３との係止が解除される。つまり、引戸１３を閉めるだけで、係止爪一つ分ずつの開放間隔２５が狭くなる方向の調節が可能となる。
【００２８】
このときは、シフター５１の規制部６７に規制カム６３が係止していることで、摘み３３は上方へスライドできない。従って、引戸１３は、開放間隔２５を広げる方向へは移動できない。引戸１３が全閉されると、図７に示すように、トリガー７３が乗り上げ部７１に乗り上げ、規制カム６３と規制部６７とは係止が解除される。これにより、全閉状態から引戸１３を普通に開放するための摘み３３の上方スライド位置へのスライド（リセット）が可能となる。このように、保持手段３５を備えれば、引戸１３を普通に開放できる。
【００２９】
なお、ストッパー５３の構造は、錠装置のラッチボルトのような構造とすることができる。この場合、ラッチボルトを、反転ラッチ構造とすれば、引戸１３の開放時に反転ラッチが逆方向に倒れ開放方向へは係止されないようにできる。
【００３０】
従って、本実施形態に係る引戸用採風装置１１によれば、採風のための間隙となる所望の開放間隔２５を引戸１３の閉動作のみで設定することができ、且つその位置からの引戸１３の開放が不可能となる。これにより、養護対象者や幼児等などが引戸１３の制限を解除して室外へと勝手に出ていくようなを起こす事態を防止することができる。そして、引戸１３を開放させるためには、引戸１３を全閉状態にした後に可能となる。
【符号の説明】
【００３１】
１１…引戸用採風装置
１３…引戸
１５…レール
２１…窓枠
２３…縦框
３３…摘み
３５…保持手段
３９…ラック
４３…係止爪
５１…シフター
５３…ストッパー
６３…規制カム
６７…規制部
６９…閉止側端部
７１…乗り上げ部
７３…トリガー
【図１】
2013096151.tif 000003
【図２】
2013096151.tif 000004
【図３】
2013096151.tif 000005
【図４】
2013096151.tif 000006
【図５】
2013096151.tif 000007
【図６】
2013096151.tif 000008
【図７】
2013096151.tif 000009